(57)【要約】【課題】快適な寝心地を確保しつつ、簡易に洗濯可能な敷布団や敷きパッドなどの敷寝具を提供すること。【解決手段】敷寝具１０は、就寝時に使用者の下に敷かれる寝具であって、所与の厚さを有する矩形板状部材によって形成され、当該敷寝具１０としての芯を構成し、かつ、使用者を支持する支持部材１００と、支持部材１００の使用者側に支持部材１００に沿って形成される第１カバー部材２００と、支持部材１００の第１カバー部材２００が形成される面とは反対の面に当該支持部材１００に沿って形成される第２カバー部材３００と、第１カバー部材２００と第２カバー部材３００を着脱可能に連結するための機構であって、支持部材１００の周囲に沿って、かつ、第１カバー部材２００及び第２カバー部材３００に形成された連結機構４００と、を備える構成を有している。【選択図】図１
0003229027.tif 000002
【実用新案登録請求の範囲】
【請求項１】
就寝時に使用者の下に敷かれる敷寝具であって、
所与の厚さを有する矩形板状部材によって形成され、当該敷寝具としての芯を構成し、かつ、前記使用者を支持する支持部材と、
前記支持部材の前記使用者側に前記支持部材に沿って形成される第１部材と、
前記支持部材の前記第１部材が形成される面とは反対の面に当該支持部材に沿って形成される第２部材と、
前記第１部材と前記第２部材を着脱可能に連結するための部材であって、前記支持部材の周囲に沿って、かつ、前記第１部材及び前記第２部材の少なくともいずれか一方に形成された連結部材と、
を備え、
前記支持部材が、
前記第１部材と、前記第２部材と、によって当該第１部材及び当該第２部材から完全分離可能に挟持される構造を有する、敷寝具。
【請求項２】
請求項１に記載の敷寝具において、
前記支持部材が、
前記連結部材によって前記第１部材と前記第２部材とが装着されて連結された場合に、前記第１部材と前記第２部材とによって形成された平面袋状の空間内に内包されて形成されることを特徴とする敷寝具。
【請求項３】
請求項２に記載の敷寝具において、
前記連結部材には、
前記支持部材の周囲の４辺のうち、コの字状となる３辺に沿って形成され、当該３辺によって前記第１部材と前記第２部材とを連結し、かつ、連結された前記第１部材と前記第２部材と着脱する第１連結部と、
前記支持部材の周囲の４辺のうち、前記第１連結部が形成された３辺とは異なる辺を含むとともにコの字状となる３辺に沿って形成され、当該３辺によって前記第１部材と前記第２部材とを連結し、かつ、連結された前記第１部材と前記第２部材と着脱する第２連結部と、
が含まれる、敷寝具。
【請求項４】
請求項３に記載の敷寝具において、
前記第１部材及び前記第２部材が、
前記支持部材の矩形形状に沿って形成される平面部と、
当該平面部の周囲に形成されるマチ部と、
をそれぞれ有し、
前記第１連結部及び前記第２連結部が、前記第１部材のマチ部と前記第２部材のマチ部とを連結させる、敷寝具。
【請求項５】
請求項４に記載の敷寝具において、
前記第１部材のマチ部と前記第２部材のマチ部が、それぞれ、２重となる２重構造部分を有し、
前記第１連結部及び前記第２連結部が、
前記第１部材のマチ部と前記第２部材のマチ部の２重構造部分にそれぞれ形成されている、敷寝具
【請求項６】
請求項３〜５のいずれか１項に記載の敷寝具において、
前記第１連結部及び前記第２連結部が、
前記支持部材の矩形形状の周囲の４辺のうち、２つの長手方向を含む前記３辺に沿って形成されている、敷寝具。
【請求項７】
請求項３〜６のいずれか１項に記載の敷寝具において、
前記第１連結部及び前記第２連結部が、
それぞれ、前記第１部材に形成された第１着脱部と前記第２部材に形成された第２着脱部とを有し、
各第１着脱部が、
前記第１部材と前記第２部材とを連結する場合に、対向する前記第２着脱部と連結する、敷寝具。
【請求項８】
請求項１〜７のいずれか１項に記載の敷寝具において、
前記支持部材が、
前記第１部材及び前記第２部材のより密度及び硬度の少なくともいずれか一方が高い部材によって構成されている、敷寝具。
【請求項９】
請求項１〜８のいずれか１項に記載の敷寝具において、
前記支持部材と、前記第１部材と、前記第２部材と、がそれぞれ他の部材より完全に分離可能な構造を有する、敷寝具。
【考案の詳細な説明】
【技術分野】
【０００１】
本考案は、敷布団などの敷寝具に関する。
【背景技術】
【０００２】
従来から、就寝時などに使用者が上に横たわるための敷布団などの敷寝具は、消費者の清潔指向の高まりにより洗濯が容易に行うものが増えてきている。
【０００３】
例えば、汚れやすい部分と汚れにくい部分とを分離して構成し、両者を着脱可能な手段で結合することにより、洗濯可能な敷布団が知られている。
【先行技術文献】
【特許文献】
【０００４】
【特許文献１】特開２００８−２８４１６９号公報
【考案の概要】
【考案が解決しようとする課題】
【０００５】
しかしながら、特許文献１に記載の敷布団などであっては、汚れやすい上部マットを洗濯可能にするために、上部マットと下部マットとを着脱可能にしているものの、快適な寝心地を向上させると上部マット自体の体積量が多くする必要があり、体積量の増加により簡単に洗濯することができない場合がある。
【０００６】
本考案は、上記課題を解決するためになされたものであり、その目的は、快適な寝心地を確保しつつ、簡易に洗濯可能な敷布団や敷きパッドなどの敷寝具を提供することにある。
【課題を解決するための手段】
【０００７】
（１）上記課題を解決するため、本考案は、
就寝時に使用者の下に敷かれる敷寝具であって、
所与の厚さを有する矩形板状部材によって形成され、当該敷寝具としての芯を構成し、かつ、前記使用者を支持する支持部材と、
前記支持部材の前記使用者側に前記支持部材に沿って形成される第１部材と、
前記支持部材の前記第１部材が形成される面とは反対の面に当該支持部材に沿って形成される第２部材と、
前記第１部材と前記第２部材を着脱可能に連結するための部材であって、前記支持部材の周囲に沿って、かつ、前記第１部材及び前記第２部材の少なくともいずれか一方に形成された連結部材と、
を備え、
前記支持部材が、
前記第１部材と、前記第２部材と、によって当該第１部材及び当該第２部材から完全分離可能に挟持される構造を有する。
【０００８】
この構成により、本考案は、支持部材、第１部材及び第２部材を完全に分離することができるので、使用者や床に直接接触して汚れやすい第１部材及び第２部材を洗濯可能にするとともに、当該第１部材を第２部材から分離することによってさらに洗濯する際の個々の体積量（嵩）を減少させることができる。
【０００９】
したがって、本考案は、支持部材によって使用者に対して快適な寝心地を確保させつつ
、汚れやすい部分を簡易に洗濯することができるので、消費者の清潔志向を満足させることができるとともに、第２部材を使用者側にも用いることが可能な構成にすることによってリバーシブルに使用可能にし、かつ、支持部材の下に第２部材という別な層（特に、支持部材より柔らかい層）を設けることよって底付き感や寝心地感を向上させることができる。
【００１０】
なお、「連結部材」には、例えば、ファスナーやボタンなどの留め具、マジックテープ（登録商標）、及び、紐（ベルト状のものも含む）が含まれる。
【００１１】
（２）また、本考案は、
前記支持部材が、
前記連結部材によって前記第１部材と前記第２部材とが装着されて連結された場合に、前記第１部材と前記第２部材とによって形成された平面袋状の空間内に内包されて形成される、構成を有している。
【００１２】
この構成により、本考案は、支持部材が第１部材及び第２部材と連結されていないので、第１部材及び第２部材から完全に分離することができる。
【００１３】
（３）また、本考案は、
前記連結部材には、
前記支持部材の周囲の４辺のうち、コの字状となる３辺に沿って形成され、当該３辺によって前記第１部材と前記第２部材とを連結し、かつ、連結された前記第１部材と前記第２部材と着脱する第１連結部と、
前記支持部材の周囲の４辺のうち、前記第１連結部が形成された３辺とは異なる辺を含むとともにコの字状となる３辺に沿って形成され、当該３辺によって前記第１部材と前記第２部材とを連結し、かつ、連結された前記第１部材と前記第２部材と着脱する第２連結部と、
が含まれる、構成を有している。
【００１４】
この構成により、本考案は、例えば、第１部材や第２部材が、使用により、又は、洗濯により伸縮してサイズが変わったとしても、そのギャップを吸収して第１部材と第２部材とを容易にかつ確実に着脱することができる。
【００１５】
（４）また、本考案は、
前記第１部材及び前記第２部材が、
前記支持部材の矩形形状に沿って形成される平面部と、
当該平面部の周囲に形成されるマチ部と、
をそれぞれ有し、
前記第１連結部及び前記第２連結部が、前記第１部材のマチ部と前記第２部材のマチ部とを連結させる、構成を有している。
【００１６】
この構成により、本考案は、第１部材と第２部材とによって袋状に形成された空間を十分に確保したりすることができるとともに、支持部材を当該空間に確実に収め、かつ、第１部材と第２部材を迅速に装着及び脱着することができる。
【００１７】
（５）また、本考案は、
前記第１部材のマチ部と前記第２部材のマチ部が、それぞれ、２重となる２重構造部分を有し、
前記第１連結部及び前記第２連結部が、
前記第１部材のマチ部と前記第２部材のマチ部の２重構造部分にそれぞれ形成されて
いる、構成を有している。
【００１８】
この構成により、本考案は、第１部材や第２部材が、使用により、又は、洗濯により伸縮してサイズが変わったとしても、２重構造部分によってそのギャップを吸収して第１部材と第２部材とを容易にかつ確実に着脱することができる。
【００１９】
（６）また、本考案は、
前記第１連結部及び前記第２連結部が、
前記支持部材の矩形形状の周囲の４辺のうち、２つの長手方向を含む前記３辺に沿って形成されている、構成を有している。
【００２０】
この構成により、本考案は、長手方向に第１連結部及び第２装着部の双方を形成することになるので、長手方向を２つの連結部で分割することができる。
【００２１】
したがって、本考案は、第１部材及び第１部材の装着を容易にしつつ、第１部材や第２部材が、使用により、又は、洗濯により伸縮してサイズが変わったとしても、そのギャップを吸収して第１部材と第２部材とを容易にかつ確実に着脱することができる。
【００２２】
（７）また、本考案は、
前記第１連結部及び前記第２連結部が、それぞれ、前記第１部材に形成された第１着脱部と前記第２部材に形成された第２着脱部とを有し、
各第１着脱部が、
前記第１部材と前記第２部材とを連結する場合に、対向する前記第２着脱部と連結する、構成を有している。
【００２３】
この構成により、本考案は、第１部材や第２部材が、第１部材及び第２部材の連結を外れにくくすることができる。
【００２４】
（８）また、本考案は、
前記支持部材が、
前記第１部材及び前記第２部材のより密度及び硬度の少なくともいずれか一方が高い部材によって構成されている。
【００２５】
この構成により、本考案は、支持部材及び第２部材によって使用時による使用者に対する床付き感を低減させつつも、当該使用者に接する第１部材によって当該使用者に対して温柔さを提供することができるので、快適な寝心地を提供することができるとともに、敷寝具全体としての長期間使用によるヘタリをも抑制させることができる。
【００２６】
（９）また、本考案は、
前記支持部材と、前記第１部材と、前記第２部材と、がそれぞれ他の部材より完全に分離可能な構造を有する。
【００２７】
この構成により、本考案は、支持部材、第１部材及び第２部材を完全に分離することができるので、第１部材及び第２部材を洗濯可能にするとともに、当該第１部材を第２部材から分離することによってさらに洗濯する際の個々の体積量（嵩）を減少させることができる。
【図面の簡単な説明】
【００２８】
【図１】一本実施形態における敷寝具の一部の外観構成を示す外観分解斜視図である。
【図２】一実施形態の敷寝具の側面からの外観を示す分解外観側面図である。
【図３】一実施形態の敷寝具の使用状態（すなわち、装着状態）における外観図である。
【図４】一実施形態の敷寝具における上面からみた場合の平面図であって、連結機構を含む第１カバー部材及び第２カバー部材の長手方向の側面が重なっていることを説明するためのイメージ図である。
【考案を実施するための形態】
【００２９】
［１］敷寝具の概要及びその構成
まず、図１〜図３を用いて本実施形態の敷寝具１０の概要及びその構成について説明する。
【００３０】
なお、図１は、本実施形態の敷寝具１０の一部の外観構成を示す外観分解斜視図であり、図２は、本実施形態の敷寝具１０の側面からの外観を示す分解外観側面図である。また、図３は、本実施形態の敷寝具１０の使用状態（すなわち、装着状態）における外観図である。
【００３１】
本考案の敷寝具１０は、使用者が身体を休めるため、又は、睡眠を取るために用いられるものであって、基本的には、使用者が横たわった際に当該使用者の身体を支持するための寝具である。
【００３２】
例えば、敷寝具１０には、敷マット、敷布団、敷パッド、座布団及びクッションなどが含まれ、個人用又は家庭用として用いられてもよいし、試験研究用として研究所等で用いられるものであってもよい。
【００３３】
また、敷寝具１０は、矩形形状を有し、例えば、縦２１０ｃｍで横１００ｃｍのサイズによって形成されている。
【００３４】
具体的には、本実施形態の敷寝具１０は、図１〜図３に示すように、就寝時に使用者の下に敷かれる寝具であって、
（Ａ１）所与の厚さを有する矩形板状部材によって形成され、当該敷寝具１０としての芯を構成し、かつ、使用者を支持する支持部材１００と、
（Ａ２）支持部材１００の使用者側に支持部材１００に沿って形成される第１カバー部材２００と、
（Ａ３）支持部材１００の第１カバー部材２００が形成される面とは反対の面に当該支持部材１００に沿って形成される第２カバー部材３００と、
（Ａ４）第１カバー部材２００と第２カバー部材３００を着脱可能に連結するための機構であって、支持部材１００の周囲に沿って、かつ、第１カバー部材２００及び第２カバー部材３００に形成された連結機構４００と、
を備える構成を有している。
【００３５】
また、本実施形態の敷寝具１０は、支持部材１００が、第１カバー部材２００と、第２カバー部材３００と、によって、当該第１カバー部材２００及び第２カバー部材３００から完全分離可能に挟持される構造を有している。
【００３６】
この構成により、本実施形態の敷寝具１０は、支持部材１００、第１カバー部材２００及び第２カバー部材３００を完全に分離することができるので、使用者や床に直接接触して汚れやすい第１カバー部材２００及び第２カバー部材３００を洗濯可能にするとともに、当該第１カバー部材２００を第２カバー部材３００から分離することによってさらに洗濯する際の個々の体積量（すなわち、第１カバー部材２００及び第２カバー部材３００のそれぞれの嵩）を減少させることができるようになっている。
【００３７】
したがって、本実施形態の敷寝具１０は、支持部材１００によって使用者に対して快適
な寝心地を確保させつつ、汚れやすい部分を簡易に洗濯することができるので消費者の清潔志向を満足させることができるとともに、第２カバー部材３００を使用者側にも用いることが可能な構成にすることによってリバーシブルに使用可能にし、かつ、支持部材１００の下に別な層（特に、支持部材１００より柔らかい層）を設けることよって底付き感や寝心地感を向上させることができるようになっている。
【００３８】
なお、例えば、本実施形態の支持部材１００は、本考案の支持部材を構成し、第１カバー部材２００及び第２カバー部材３００は、それぞれ、本考案の第１部材及び第２部材を構成する。また、例えば、本実施形態の連結機構４００は、本考案の連結部材を構成する。
【００３９】
［２］敷寝具１０の具体的な構成
次に、上記の図１〜図３及び図４を用いて本実施形態の敷寝具１０の具体的な構成について説明する。
【００４０】
なお、図４は、本実施形態の敷寝具１０における上面からみた場合の平面図であって、連結機構４００を含む第１カバー部材２００及び第２カバー部材３００の長手方向の側面が重なっていることを説明するためのイメージ図である。
【００４１】
（支持部材）
本実施形態の支持部材１００は、図１〜図３に示すように、矩形で板状の形状を有し、第１カバー部材２００及び第２カバー部材３００のより密度、硬度又は双方が高い部材によって構成され、使用者の体圧を分散する弾発性を有して形成されている。
【００４２】
例えば、支持部材１００は、ポリエステルを圧縮・溶融して板状に形成された、１．５ｋｇで１．２８ｋｇ／ｍ２の固綿によって形成されている。ただし、支持部材１００は、固綿に代えて、ウレタン、プロファイルウレタン、高反発ウレタン、又は、低反発ウレタンなどによって形成されていてもよい。
【００４３】
また、支持部材１００は、連結機構４００によって第１カバー部材２００と第２カバー部材３００とが装着されて連結された場合に、当該第１カバー部材２００及び第２カバー部材３００とが対向されることによって形成された平面袋状の空間内に内包される。
【００４４】
すなわち、支持部材１００は、連結機構４００によって第１カバー部材２００と第２カバー部材３００とが装着されて連結された場合に、第１カバー部材２００及び第２カバー部材３００によって挟持されて収納されており、第１カバー部材２００と第２カバー部材３００とは、非連結状態を維持する構造となっている。
【００４５】
（第１カバー部材）
第１カバー部材２００は、図１〜図３に示すように、第２カバー部材３００とともに支持部材１００を挟持するため、当該支持部材１００より大きな平面的なサイズの矩形形状によって形成されている。
【００４６】
そして、第１カバー部材２００は、支持部材１００の矩形形状に沿って形成される矩形形状の平面部２１０と、当該支持部材１００の矩形形状の周囲に形成されるマチ部２２０と、を有している。
【００４７】
特に、第１カバー部材２００は、図１〜図３に示すように、第２カバー部材３００とともに、支持部材１００を内包させるための平面袋情報の空間を形成するために、平面部２１０と、その周囲全体に、支持部材１００を内包して収容させるためのマチ部２２０と、
から構成されている。
【００４８】
具体的には、平面部２１０は、芯材としての巻綿層２１１と、巻綿層２１１の周囲をカバーする側生地層２１２と、から構成されるとともに、生地を細長く折られた状態で縫い付けたパイピング処理が施された周縁部２１５を有している。
【００４９】
特に、平面部２１０は、巻綿層２１１及び側生地層２１２が一体的な構造を有し、一面又は両面が綿をキルティングしたキルティング加工によって形成されている。
【００５０】
巻綿層２１１は、例えば、抗菌防臭防ダニ綿、蓄熱綿、温度調節綿、羊毛、又は、羽毛などによって構成されており、本実施形態のサイズにおいては、これらの部材が０．７５ｋｇで３３０ｇ／ｍ２によって形成されている。
【００５１】
側生地層２１２は、ポリエステル織物若しくはポリエステル／綿混織物などの洗濯時において低収縮性の布地、又は、防縮加工を施した綿１００％の綿織物などによって形成されている。なお、側生地層２１２の表面は、ピーチ加工されている。
【００５２】
一方、マチ部２２０は、パイピング処理された平面部２１０における周縁部２１５全体（すなわち、敷寝具１０の長手方向及び短手方向の四方向の全ての周縁部２１５）から、第２カバー部材３００と対向する方向に向かって形成されている。
【００５３】
すなわち、マチ部２２０は、第２カバー部材３００と連結機構４００を介して連結された場合に、支持部材１００の長手方向及び短手方向に沿って、当該支持部材１００を、当該第２カバー部材３００とによって形成される空間内に内包するための機能を有する。
【００５４】
また、マチ部２２０には、第１カバー部材２００を、第２カバー部材３００及び支持部材１００から完全に分離着脱するための連結機構４００が形成されている。
【００５５】
さらに、マチ部２２０は、図２及び図３に示すように、長手方向の中央部分又はその近傍において、２重となる２重構造部分を有し、当該２重構造部分にそれぞれ連結機構４００が形成されている。
【００５６】
なお、本実施形態における第１カバー部材２００のマチ部２２０の一部の構造及び連結機構４００に関連する構造の詳細については後述する。
【００５７】
（第２カバー部材）
第２カバー部材３００は、支持部材１００を第１カバー部材２００とともに内包するため、当該支持部材１００より大きな平面的なサイズの矩形形状によって形成されている。
【００５８】
そして、第２カバー部材３００は、第１カバー部材２００と同様に、支持部材１００の矩形形状に沿って形成される矩形形状の平面部３１０と、当該支持部材１００の矩形形状の周囲に形成されるマチ部３２０と、を有している。
【００５９】
特に、第２カバー部材３００は、第１カバー部材２００と同様に、第１カバー部材２００とともに、支持部材１００を内包させるための平面袋情報の空間を形成するために、平面部３１０と、その周囲全体に、支持部材１００を内包して収容させるためのマチ部３２０と、から構成されている。
【００６０】
具体的には、平面部３１０は、第１カバー部材２００の平面部２１０と同様に、芯材としての巻綿層３１１と、巻綿層３１１の周囲をカバーする側生地層３１２と、から構成さ
れるとともに、生地を細長く折られた状態で縫い付けたパイピング処理が施された周縁部３１５を有している。
【００６１】
特に、平面部３１０は、巻綿層３１１及び側生地層３１２が一体的な構造を有し、一面又は両面が綿をキルティングしたキルティング加工によって形成されている。
【００６２】
巻綿層３１１は、例えば、抗菌防臭防ダニ綿、蓄熱綿、温度調節綿、羊毛、又は、羽毛などによって構成されており、本実施形態のサイズにおいては、これらの部材が０．７５ｋｇで３３０ｇ／ｍ２によって形成されている。
【００６３】
側生地層３１２は、ポリエステル織物若しくはポリエステル／綿混織物などの洗濯時において低収縮性の布地、又は、防縮加工を施した綿１００％の綿織物などによって形成されている。なお、側生地層３１２の表面は、ピーチ加工されている。
【００６４】
一方、マチ部３２０は、第１カバー部材２００のマチ部２２０と同様に、パイピング処理された平面部３１０における周縁部３１５全体（すなわち、長手方向及び短手方向の四方向の全ての周縁部２１５）から、第１カバー部材２００と対向する方向に向かって形成されている。
【００６５】
すなわち、マチ部３２０は、第１カバー部材２００と連結機構４００を介して連結された場合に、支持部材１００の長手方向及び短手方向に沿って、当該支持部材１００を、当該第１カバー部材２００とによって形成される空間内に内包するための機能を有する。
【００６６】
また、マチ部３２０には、第１カバー部材２００のマチ部２２０と同様に、第２カバー部材３００を、第１カバー部材２００及び支持部材１００から完全に分離着脱するための連結機構４００が形成されている。
【００６７】
さらに、マチ部３２０は、図２及び図３に示すように、第１カバー部材２００のマチ部２２０と同様に、長手方向の中央部分又はその近傍において、２重となる２重構造部分を有し、当該２重構造部分にそれぞれ連結機構４００が形成されている。
【００６８】
なお、本実施形態における第２カバー部材３００のマチ部３２０の一部の構造及び連結機構４００に関連する構造の詳細については後述する。
【００６９】
（連結機構）
本実施形態の連結機構４００は、第１カバー部材２００及び第２カバー部材３００のマチ部２２０に形成され、第１カバー部材２００と、第２カバー部材３００と、を分離又は連結するための機構である。
【００７０】
例えば、連結機構４００には、ファスナーやボタンなどの留め具、マジックテープ（登録商標）、及び、紐（ベルト状のものも含む）が含まれる。
【００７１】
具体的には、本実施形態の連結機構４００は、
（Ｂ１）支持部材１００の周囲の４辺のうち、コの字状となる３辺に沿って形成され、当該３辺によって第１カバー部材２００と第２カバー部材３００とを連結し、かつ、連結された第１カバー部材２００と第２カバー部材３００とを着脱する第１連結部４１０と、
（Ｂ２）支持部材１００の周囲の４辺のうち、第１連結部４１０が形成された３辺とは異なる辺を含み、コの字状となる３辺に沿って形成され、当該３辺によって前記第１カバー部材２００と第２カバー部材３００とを連結し、かつ、連結された第１カバー部材２００と第２カバー部材３００とを着脱する装着する第２連結部４２０と、
を備えている。
【００７２】
そして、第１連結部４１０及び第２連結部４２０は、例えば、長手方向の中央部分又はその近傍などの所定の位置及びその周辺の位置において、短手方向について重なった部分（すなわち、２重構造）を有している。
【００７３】
具体的には、第１連結部４１０及び第２連結部４２０は、図２〜図４に示すように、第１カバー部材２００のマチ部２２０、又は、第２カバー部材３００のマチ部３２０の中央に形成された２重構造の部分を、それぞれ、連結するための構成を有している。
【００７４】
そして、第１連結部４１０及び第２連結部４２０は、それぞれ、支持部材１００の矩形形状の周囲の４辺のうち、２つの長手方向を含む３辺に沿って形成されている。
【００７５】
すなわち、第１連結部４１０及び前記第２連結部４２０は、第１カバー部材２００や第２カバー部材３００が、使用により、又は、洗濯により伸縮してサイズが変わったとしても、そのギャップを吸収して第１カバー部材２００と第２カバー部材３００とを容易にかつ確実に連結及び着脱することができるとともに、第１カバー部材２００及び第２カバー部材３００の連結を外れにくくする構造を有している。
【００７６】
例えば、第１連結部４１０及び第２連結部４２０は、それぞれ、第１カバー部材２００に形成された第１着脱部４１１及び４２１と、第２カバー部材３００に形成された第２着脱部４１２及び４２２と、を有している。
【００７７】
特に、第１着脱部４１１及び４２１は、第１カバー部材２００と第２カバー部材３００とを連結する場合に、位置的に対向する第２着脱部４１２及び４２２と装着するための構造を有している。
【００７８】
そして、マチ部２２０及びマチ部３２０の長手方向の中央部分に形成された第１連結部４１０（第１着脱部４１１及び第２着脱部４１２）の一部と、マチ部２２０及びマチ部３２０の長手方向の中央部分に形成された第２連結部４２０（第１着脱部４２１及び第２着脱部４２２）の一部とが、短手方向に重なった状態で形成されている。
【００７９】
なお、例えば、第１着脱部４１１及び４２１及び第２着脱部４１２及び４２２には、ファスナー（第１カバー部材２００に形成される第１スライダー、第２カバー部材３００に形成される第２スライダー、開具及び留め金から構成される手段）、ボタンとボタン穴などの留め具、マジックテープ（登録商標）などの面ファスナー、及び、紐（ベルト状のものも含む）が含まれる。
【００８０】
また、例えば、本実施形態の第１連結部４１０は、本考案の第１連結部を構成し、第２連結部４２０は、本考案の第２連結部を構成する。
【００８１】
［３］その他
本実施形態は、第１カバー部材２００と、第２カバー部材３００と、及び、支持体から構成される敷寝具１０であるが、これ以上の層や部材によって形成されていてもよい。
【００８２】
本考案は、上記実施形態で説明したものに限らず、種々の変形実施が可能である。例えば、明細書又は図面中の記載において広義や同義な用語として引用された用語は、明細書又は図面中の他の記載においても広義や同義な用語に置き換えることができる。
【００８３】
本考案は、実施形態で説明した構成と実質的に同一の構成（例えば、機能、方法及び結
果が同一の構成、あるいは目的及び効果が同一の構成）を含む。また、本考案は、実施形態で説明した構成の本質的でない部分を置き換えた構成を含む。また、本考案は、実施形態で説明した構成と同一の作用効果を奏する構成又は同一の目的を達成することができる構成を含む。また、本考案は、実施形態で説明した構成に公知技術を付加した構成を含む。
【００８４】
上記のように、本考案の実施形態について詳細に説明したが、本考案の新規事項及び効果から実体的に逸脱しない多くの変形が可能であることは当業者には容易に理解できるであろう。したがって、このような変形例はすべて本考案の範囲に含まれるものとする。
【符号の説明】
【００８５】
１０    ：敷寝具
１００  ：支持部材
２００  ：第１カバー部材
２１０  ：平面部
２１１  ：巻綿層
２１２  ：側生地層
２１５  ：周縁部
２２０  ：マチ部
３００  ：第２カバー部材
３１０  ：平面部
３１１  ：巻綿層
３１２  ：側生地層
３１５  ：周縁部
３２０  ：マチ部
４００  ：連結機構
４１０  ：第１連結部
４１１  ：第１着脱部
４１２  ：第２着脱部
４２０  ：第２連結部
４２１  ：第１着脱部
４２２  ：第２着脱部
【図１】
0003229027.tif 000003
【図２】
0003229027.tif 000004
【図３】
0003229027.tif 000005
【図４】
0003229027.tif 000006